(57)【特許請求の範囲】
【請求項１】
電線束を収容する可撓性の内筒体と、この内筒体を収容する可撓性の外筒体とから成り、前記内筒体は周壁の一側に長手方向に沿う切り割を有すると共に他側に該切り割と対向して長手方向に沿う係止突条を有し、前記外筒体は周壁の一側に前記係止突条と係合する長手方向に沿う切り割を有し、かつ、前記外筒体が、前記内筒体に収容される電線束の径の大小に応じて適合するように、外筒体の内径が内筒体の外径と等しいもの、およびこれより大きいものと小さいものから選ばれることを特徴とする電線用プロテクタ。
【請求項２】
前記内筒体の厚さが前記切り割に向けて次第に薄く形成されている請求項１記載の電線用プロテクタ。
【請求項３】
前記内筒体および外筒体がコルゲートチューブである請求項１または２記載の電線用プロテクタ。
【請求項４】
前記係止突条が複数個に分割形成されている請求項１，２または３記載の電線用プロテクタ。
【発明の詳細な説明】
【０００１】
【発明の属する技術分野】
本発明はワイヤハーネス等の電線を保護する電線用プロテクタに関する。
【０００２】
【従来の技術】
実開平２−８３６１８号公報には図３に示すような電線プロテクタが記載されている。
図３において、１１は円筒体であり、その一側に切り割１２を有し、切り割１２によって分離された円筒体１１には両側縁１３および１３′より立上って係止片１４および１４′が設けられている。１５は前記係止片１４および１４′と係合する係止具である。
【０００３】
【発明が解決しようとする課題】
前述したように、従来の電線用プロテクタは円筒体の切り割の両側縁から立上げて係止片を設け、該係止片に係止具を係合させるものであった。
このため、構造が複雑であるとともに、円筒体に収容される電線束が小さい場合は両側縁１３および１３′を押圧してその間隔を狭くして係止片１４および１４′を係止具１５と係合させることができるが、電線束が太くなると切り割１２の幅を狭くすることができず、係止具１５の先端を係止片１４および１４′に係合させて長手方向に押込むようにしなければならず、作業性が非常に悪くなる。本発明は簡単な構造で容易に電線を収容することができる電線プロテクタを提供することを課題とする。
【０００４】
【課題を解決するための手段】
前述した課題を解決するために、請求項１の発明においては、電線束を収容する可撓性の内筒体と、この内筒体を収容する可撓性の外筒体とから成り、前記内筒体は周壁の一側に長手方向に沿う切り割を有すると共に他側に該切り割と対向して長手方向に沿う係止突条を有し前記外筒体は周壁の一側に前記係止突条と係合する長手方向に沿う切り割を有することを特徴とする。
内筒体の長手方向に切り割を設け、該切り割と対向して外部に向って突出した係止突条を設け、外筒体の長手方向に設けた切り割を広げて内筒体に外装するようにしたので、構造が簡単で容易に電線を収容することができる。
さらに、前記外筒体が、前記内筒体に収容される電線束の径の大小に応じて適合するように、外筒体の内径が内筒体の外径と等しいもの、およびこれより大きいものと小さいものから選ばれる。
この構成により、内径の異なる複数種類の外筒体を用意し、電線束の太さに合った径の外筒体を使用するようにしたので、種々のワイヤハーネスに対して内筒体を共用することができ、コストを低下させることができる。
【０００５】
請求項２の発明においては、前記内筒体の厚さが前記切り割に向けて次第に薄く形成されている。従って、切り割部分の開放を容易に行うことができ、むりな力を加えずに電線を容易に収納することができる。
【０００７】
請求項３の発明は、前記内筒体および外筒体がコルゲートチューブであり、
また、請求項４の発明は、前記係止突条が複数個に分割形成されているものである。
請求項３の発明では、内筒体と外筒体が共にコルゲートチューブでできているので、収容したワイヤハーネスを所望の方向に曲げて配設固定することができ、さらに請求項４の発明のように係止突条を分割形成することにより上記曲げ作業が一層容易になる。
【０００８】
【発明の実施の形態】
本発明の実施の形態の一例を図１を参照して説明する。図１（Ａ）は本発明の実施例の分離状態の斜視図、（Ｂ）はその使用状態の断面図である。
図１において、１は電線３を収容する断面が円形の内筒体、２は内筒体１を収納する外筒体で、いずれもポリ塩化ビニルやポリエチレンなどの可撓性の材料でできている。
【０００９】
内筒体１には、周壁の一側に長手方向に沿って外部に向って突出した断面がＴ字状の係止突条１ａが形成され、他側に係止突条１ａと対向して長手方向に沿う切り割１ｂが設けられている。
また、外筒体２には、係止突条１ａに対応してこれに係合する切り割２ａが長手方向に設けられている。
【００１０】
上記構成において、プロテクタに電線を収納するには、先ず内筒体１の切り割１ｂを開いて電線３を収納する。その後、外筒体２の切り割２ａを開き、係止突条１ａの反対側から内筒体１に被せるか、または係止突条１ａに切り割２ａをスライドさせながら外筒体２を外挿することにより、外筒体２の中に内筒体１を収納する。
【００１１】
このようにして収納された電線３は、プロテクタが曲げられても、外筒体２は内筒体１に設けられた係止突条１ａによって係止されているため、内筒体１を放出することがなく、また、内筒体１の切り割１ｂは外部より外筒体２で覆われているため電線３が放出されることはない。
【００１２】
また、図２は本発明の第２の実施例を示しており、（Ａ）は内筒体の断面図、（Ｂ）および（Ｃ）は電線束が太い場合と細い場合の実装の断面図である。
第２の実施例では、図２（Ａ）に示されるように、内筒体１′の円筒部分の厚さを切り割１ｂに向かうにしたがって薄く形成してある。また、前記外筒体２の内径を内筒体１′の外径に対して大きいもの、小さいものおよび同じもの等、複数の種類のものを用意する。
このように構成されたプロテクタに、前述した方法により電線束を内筒体１′に収納し、その後、電線束を収納した内筒体１′の径に見合う径の外筒体２に内筒体１を収納する。
【００１３】
図２（Ｂ）は電線束が太い場合で、この場合には内筒体１′の切り割１ｂは大きく広がった状態とはなるが、その外径に見合った外筒体２′によって電線が放出されることはない。
【００１４】
また、電線束が細い場合は、図２（Ｃ）に示されるように、内筒体１′の切り割１ｂの両側縁が重なった状態となり径の小さい外筒体２″の中に収納される。
【００１５】
このように、内筒体１′の厚さを切り割１ｂに向かうに従って薄くし、外筒体２は径の異なる種々なものを用意することによって、電線束に見合った太さのプロテクタにすることができ、その場合内筒体は共通に使用することができ、コストを低減することができる。
【００１６】
以上は内筒体１、外筒体２などが通常の円筒状の直管で形成されている場合について説明したが、ワイヤハーネスを車両の内部構造に合わせて自由に曲げられるように、コルゲートチューブ（図示省略）で形成することができ、この場合には内筒体１の前記係止突条１ａに適宜間隔で切り込みを設けて複数の係止突条１ａとして分割形成することが好ましい。
【００１７】
【発明の効果】
以上説明したように、本発明によれば次の効果が得られる。
内筒体の長手方向に切り割を設け、該切り割と対向して外部に向って突出した係止突条を設け、外筒体の長手方向に設けた切り割を広げて内筒体に外装するようにしたので、構造が簡単で容易に電線を収容することができる（請求項１）。
内筒体の厚さを切り割に向かうに従って薄くするようにしたので、切り割部分の開放を容易に行うことができ、むりな力を加えずに電線を容易に収納することができる（請求項２）。
また、内径の異なる複数種類の外筒体を用意し、電線束の太さに合った径の外筒体を使用するようにしたので、種々のワイヤハーネスに対して内筒体を共用することができ、コスト低減を図ることができる（請求項３）。
さらに、内筒体と外筒体を共にコルゲートチューブとすることにより、収容したワイヤハーネスを所望の方向に曲げて配設固定することができ（請求項４）、係止突条を分割形成することにより上記曲げ作業を一層容易にすることができる（請求項５）。
【図面の簡単な説明】
【図１】（Ａ）は本発明の実施例の分離状態の斜視図、（Ｂ）はその使用状態の側面図である。
【図２】（Ａ）は本発明の第２の実施例の内筒体の断面図、（Ｂ）および（Ｃ）は同実施例の電線束が太い場合および細い場合の断面図である。
【図３】従来例の説明図である。
【符号の説明】
１，１′  内筒体
１ａ      係止突条
１ｂ      切り割
２〜２″  外筒体
２ａ      切り割
３        電線
【図１】
0003682815.tif 000002
【図２】
0003682815.tif 000003
【図３】
0003682815.tif 000004